(57)【特許請求の範囲】
【請求項１】
版胴の左右にそれぞれ個別に刷版を装着し、運転中にもそれぞれ個別に天地方向及び軸方向の見当調整が可能な印刷機に設備する分割版胴の軸方向見当調整装置において、
一方の版胴側に設けたアームと、該アームを揺動するアーム揺動手段と、上記アームの揺動に対して上記版胴を版胴軸方向にのみ移動伝達するアーム規制手段とを備え、該アーム規制手段は、一方の版胴の端部に回転自在で軸方向に固定された移動用部材に形成された複数の溝と、この溝に版胴軸方向に隙間がなく版胴の半径方向及び上下に隙間があるように係合するピンとで構成され、該ピンを前記アームに設けたことを特徴とする分割版胴の軸方向見当調整装置。
【請求項２】
上記アーム揺動手段が、上記一方の版胴軸を軸支するフレームに、ブラケットを介して軸支された支点軸と、上記ピンとは支点軸に対して反対側に設けられ、上記アームを版胴の軸方向に移動させる移動駆動機構とを含むようにしたことを特徴とする請求項１に記載の分割版胴の軸方向見当調整装置。
【発明の詳細な説明】
【０００１】
【発明の属する技術分野】
本発明は、輪転印刷機に設備する分割版胴の軸方向見当調整装置に関するものである。
【０００２】
【従来の技術】
従来の輪転印刷機について図６及び図７を用いて説明する。図６は、輪転印刷機において分割版胴へ設備した従来の左右（軸方向）見当調整装置の構成図、図７は、図６における概略図である。
一般的な輪転印刷機は、給紙装置に装架した巻取紙から連続的に供給されるウェブへ所定の印刷を施した後、横幅方向及び長さ方向にて裁断し、シート（枚葉紙）として、あるいは折り畳まれた折帳として外部へ搬出すべく構成されている。
例えば新聞紙等の場合には、通常ウェブの横幅方向に２枚分の印刷を並べて行い、続いて横幅中央でスリッティング（裁断）し、互いに積層させた後折り畳んだ状態で排出する。新聞輪転機には、分割版胴１、すなわち、一方の刷版３ａを装着する版胴本体４と、他方の刷版３ｂを装着するシェル５とによって構成したものが設備されている。
この分割版胴１の設備に伴い、見当合わせ装置が組み込まれている。すなわち、軸両端部が偏心軸受７ａ、７ｂを介して軸支されるとともに、該軸端部に、版胴本体４及びシェル５を円周方向（ウェブ走行方向）と軸方向（ウェブ横幅方向）とへそれぞれ独立して移動調整する装置である。
なお、分割版胴１の円周方向見当調整装置及び軸方向見当調整装置として、輪転印刷機の分割版胴装置（特開平９−４９１９６号）が提案されている。
【０００３】
【発明が解決しようとする課題】
版胴本体４側の見当調整装置は、モータ３２にて回動させるネジ軸３３を、ベアリング６を介して版胴本体４の軸端を軸支させた偏心軸受７ａと合致させて、同軸心上へ配設している。このため、フレーム２ａに対し、偏心軸受７ａの移動をスムーズに行わせることが可能である。
しかし、シェル５側の見当調整装置は、モータ３５にてスプロケット４０を回動させ、チェン４１を介してシェル５軸心と別位置に設けたスプロケット４２、つまりスプロケット４２を固定したネジ軸３６を回動させ、ベアリング３８を介してシェル軸３９を軸支させた軸受３７を移動すべく構成している。
これらの移動機構は、版胴軸８及びこれと同芯のシェル軸３９が印圧調節によって動くに従って移動する必要があり、印圧調節用偏心軸受７ｂに固設した調整部材３４ｂに設置する。また、ネジ軸３６は、シェル軸３９を移動させる軸受３７の中心に対し軸円方向でバランスが取れた位置に複数個設ける必要がある。このバランスがくずれると、軸受３７を移動させるとき、ねじれを生じさせ、図７に示すように、滑り部分が突っかかり動きにくい状態が発生することがある。この従来の装置には、次のような問題を内在していた。
(1) 版胴４、５の側面フレーム２ｂとの間は狭いが、取付け部品が多く、組立、保守が困難である。
(2) 複数のネジ軸３６を同時に動かすため、スプロケット４２に掛けて動かすチェン４１のたるみ、ネジ軸３６のネジのピッチ誤差やネジ係合のすきま等の影響により、複数のネジ軸３６が同調して動かなくなる場合がある。この場合には、互いにひねりが生じ、動きにくくなってしまう。
【０００４】
本発明は、かかる状況に鑑みてなされたものであり、組立及び保守における作業性及び調整機構の信頼性を向上させることができる分割版胴の軸方向見当調整装置を提供することを目的とする。
【０００５】
【課題を解決するための手段】
本発明に係る分割版胴の軸方向の見当調整装置は、係る課題を解決するためになされたものであり、版胴の左右にそれぞれ個別に刷版を装着し、運転中にもそれぞれ個別に天地方向及び軸方向の見当調整が可能な印刷機に設備する分割版胴の軸方向見当調整装置において、  一方の版胴側に設けたアームと、該アームを揺動するアーム揺動手段と、上記アームの揺動に対して上記版胴を版胴軸方向にのみ移動伝達するアーム規制手段とを備え、該アーム規制手段は、一方の版胴の端部に回転自在で軸方向に固定された移動用部材に形成された複数の溝と、この溝に版胴軸方向に隙間がなく版胴の半径方向及び上下に隙間があるように係合するピンとで構成され、該ピンを前記アームに設けている。
【０００６】
この軸方向見当調整装置は、フレームの内側と版胴の側面との間に設けるのが好適である。
アーム規制手段は、外周に開放された複数の溝と、この溝に版胴軸方向に隙間がなく、版胴の半径方向上下左右に隙間があるように係合するピンとを含むように構成するのが好適である。また、この溝は、一方の版胴の端部に回動自在で軸方向に固定された移動用部材に設け、このピンは、アーム側に設けるのも好適である。
アーム揺動手段は、上記ピンが上記移動用部材を版胴の軸方向に移動させるよう、上記フレームに固設のブラケットに設けた、アームを軸支する支点軸と、上記ブラケットに取付けられて上記アームの支点に対し上記ピンと反対側に位置し、上記ピンが版胴の軸方向に移動するよう駆動する移動駆動機構とを含むように構成するのが好適である。
【０００７】
したがって、本発明に係る分割版胴の軸方向見当調整装置について、その最も好適な形態は、版胴の左右にそれぞれ個別に刷版を装着し、運転中にもそれぞれ別個に天地方向（版胴回転方向）及び軸方向の見当調整が可能な印刷機に関し、別個に見当調整可能な左右の版胴の内一方の軸方向見当調整装置をフレームの内側と版胴の側面との間に設け、該軸方向移動装置が、上記一方の版胴の端部に回転自在で軸方向固定され、外周に複数の開放された溝を設けた移動用部材（ハウジング）と、上記開放された溝に版胴軸方向には隙間無く、版胴の半径方向上下左右に隙間があるよう係合するピンを設けたアームと、上記アームのピンが上記移動部材を版胴の軸方向に移動させるよう上記フレームに固設されたブラケットに設け上記アームを軸支する支点軸と、上記フレームに固設されたブラケットに取付け上記アームの支点に対し上記ピンと反対側に位置し、上記アームのピンが版胴の軸方向に移動するよう駆動する移動駆動機構とを構成要素とする。
【０００８】
移動駆動機構は、支点軸を中心とした揺動をさせる駆動力をアームに与えるものであり、例えば、モータとギヤ等の伝達部材から構成されるものである。
【０００９】
【発明の実施の形態】
次に、本発明に係る分割版胴の軸方向見当調整装置の実施の形態について図面に基づいて説明する。図１乃至図５は、本発明の一実施形態を表しており、図１は、本発明の一実施形態に係る分割版胴の軸方向見当調整装置を輪転印刷機に設備した全体概略構成図、図２は、左右見当調整装置部の側面断面図、図３は、図２の正面断面図、図４（ａ）は、図３の線IVa −IVa による断面図、（ｂ）は、図３の矢印IVb の矢視図、図５は、図１におけるV 部の詳細図である。
印刷ユニットの概略構成を説明する。印刷ユニットにおいて、図１に示すように、フレーム２ａ及びフレーム２ｂが、その左右（操作側と駆動側）に所定間隔で立設している。このフレーム２ａ、２ｂ間には、版胴本体４及びシェル５が掛け渡されている。版胴本体４は、フレームに回転と軸方向への移動を可能に軸支されている。シェル５の内孔部が、版胴本体４の小径胴部外側へ嵌挿されており、シェル５は、版胴本体４に対し回転及び軸方向への移動が可能となっている。分割版胴１は、これらシェル５及び版胴本体４により構成されている。
版胴本体４は、一方の刷版３ａを装着するものであり、シェル５は、他方の刷版３ｂを装着するものである。
【００１０】
版胴本体４の一端部には、段付けされた版胴本体軸８ａが設けられている。この版胴本体軸８ａには、ベアリング６が装着され、さらに、偏心軸受７ａが装着されている。版胴本体４は、ベアリング６及び偏心軸受７ａを介してフレーム２ａに回動自在に軸支される。偏心軸受７ａと版胴本体軸８ａの近傍部とには、調整部材３４が固設されている。
フレーム２ａには、サブフレーム２Ａがスペーサ２Ｂを介してフレーム２ｂの反対側に取付けられており、このサブフレーム２Ａにモータ３２が取付けられている。モータ３２には、ネジ軸３３が連結されており、このネジ軸３３は、調整部材３４と螺合している。モータ３２は、制御手段（図示省略）と接続されており、これにより制御されている。
モータ３２を作動させると、ネジ軸３３が回動する。ネジ軸３３は、調整部材３４に対して送りねじの作用を行うことになり、調整部材３４が、軸方向に相対移動し、また、偏心軸受７ａ及び版胴本体４が軸方向に移動する。すなわち、モータ３２の作動方向に応じて、版胴本体４の軸方向に関する位置を調整することができる。こうして、モータ３２により、版胴本体４の軸方向における見当合わせを行うことができる。
【００１１】
版胴本体４の他端部には、段付けされた版胴本体軸８ｂが設けられている。この版胴本体軸８ｂには、ベアリング６が装着され、さらに、偏心軸受７ｂが装着されている。版胴本体４は、ベアリング６及び偏心軸受７ｂを介してフレーム２ｂに回動自在に軸支される。
【００１２】
次に、アーム揺動駆動機構１８の構造について、図２及び図３を用いて以下説明する。
フレーム２ｂには、図２に示すように、ブラケット１９が、フレーム２ａ側の面に固設されている。ブラケット１９には、ベアリング２１を介してネジ軸２２を回動自在に軸支させており、その下方には、モータ２３が取付けられている。ネジ軸２２は、雄ねじを有する。
ネジ軸２２の後端にはギヤ２５が、また、モータ２３の後端にはギヤ２４がそれぞれ取付けられており、両ギヤ２４、２５は互いに歯合する。このため、モータ２３の駆動力は、ギヤ２４、ギヤ２５からネジ軸２２に伝達される。
ブラケット１９には、図３に示すように、略Ｙ字形状のアーム１６が連結されている。ブラケット１９の両側方には、支点軸１５がそれぞれ突設されており、アーム１６の略中央部（略Ｙ字の分岐点付近）には、丸穴が形成されている。ブラケット１９とアーム１６との連結は、支点軸１５が丸穴に嵌入されることによりなされる。連結状態では、両者は支点軸１５を中心に回動（揺動）自在に保持されている。
【００１３】
シェル５の外側軸端部（フレーム２ｂ側の軸端部）には、アンギュラベアリング１３を介してハウジング１４が取付けられている。ハウジング１４は、アンギュラベアリング１３によりシェル５に対して回動自在に保持される。アンギュラベアリング１３及びハウジング１４は、シェル５に対する軸方向への移動が制限されている。
ハウジング１４には、アーム１６が連結されている。ハウジング１４の外周面には、長穴２０が形成されており、アーム１６の略Ｙ字形状の各先端部には、ピン１７ａがそれぞれ固設されている。ハウジング１４とアーム１６との連結は、ピン１７ａを長穴２０に嵌入させることによりなされる。略Ｙ字形状のアーム１６は、ハウジング１４の約１８０度を抱持する。このように、ハウジング１４は、アーム１６と回動自在に連結されているので、アーム１６が支点軸１５を中心に回動（揺動）しても、ハウジング１４の中心軸方向がシェル５の中心軸方向からずれることはなく、軸方向へのシェル５の円滑な移動が妨げられることはない。
ピン１７ａと長穴２０との接合部分において、半径方向に関する隙間は、Δｄで（図３参照）、アーム１６の長手方向に関する隙間は、Δｈであり（図４（ａ）参照）、版胴軸方向については隙間がない。
したがって、アーム１６の支点軸１５を中心とした円弧軌跡に対しても、版胴軸方向には、確実に移動伝達する一方で、他の方向の相対的動きは伝達することはない。このため、印圧調整をする偏心軸受７ｂが調整され、版胴軸芯が移動したときも対応することができる。
【００１４】
アーム１６には、コマ２７が連結されている。アーム１６の後端部には、長穴２６が形成されており（図３参照）、コマ２７の外周面には、その外周面から突出するように一対のピン１７ｂが設けられている。アーム１６とコマ２７との連結は、ピン１７ｂを長穴２６に嵌入させることによりなされる。
コマ２７は、ネジ軸２２の雄ねじに対応する雌ねじ（貫通ねじ）が形成されており（メネジブロック）、両者は螺合可能である。モータ２３の駆動力は、ネジ軸２２からコマ２７に伝達される。そして、ネジ軸２２は、コマ２７に対して送りネジのように作用する。モータ２３は、制御手段（図示省略）と接続されており、これにより制御される。
ここで、長穴２６は、図４（ｂ）に示すような形状であり、ネジ軸２２に対し、円弧軌跡をとるアーム１６下端の移動を許容するように機能する。また、長穴２６は、アーム１６下端の移動を許容し、他の方向へのガタはないか又はその影響がないような範囲に抑えてある。このため、アーム１６が揺動して傾斜状態にあっても、雌ねじ（コマ２７側）の中心軸方向は、雄ねじ（ネジ軸２２側）の中心軸方向からずれることはなく、両者の円滑な螺合が妨げられることはない。
なお、２つのピン１７ａは同一軸上に配置されるのが好ましい。また、２つのピン１７ｂも、同一軸上に配置されているのが好ましい。
【００１５】
アーム揺動駆動機構１８として、このような構造を採用したので、モータ２３を回動させると、ギヤ２４及びギヤ２５を介してネジ軸２２を任意の方向へ回転させることができる。また、位置固定のネジ軸２２を基準として、コマ２７及びこのコマ２７を連結したアーム１６後端部を支点軸１５を中心に揺動させることができる。なお、アーム１６の先端部は、揺動方向が逆である。
こうして、アーム１６の揺動をシェル５の軸方向への移動に変換している。すなわち、ピン１７ｂ、ハウジング１４、アンギュラベアリング１３を介して、アンギュラベアリング１３を固定したシェル５を、軸方向へ移動することができ、シェル５を、走行するウェブの横幅方向へ移動調整することができる。
【００１６】
次に、版胴本体４及びシェル５の円周方向における見当合わせの構造について説明する。
図１に示すように、はすば歯車２９は、版胴本体軸８ｂに回止め用キーを用いて取付けられ、版胴本体４と連結される。はすば歯車３０は、シェル調整軸９に回止め用キーを用いて取付けられ、シェル５と連結される。すなわち、はすば歯車２９は、回転方向には版胴本体軸８ｂと係合し、軸方向には摺動可能に支持されている。はすば歯車３０は、回転方向にはシェル調整軸９と係合し、軸方向には摺動可能に支持されている。
分割版胴１へ並設するブランケット胴２８には、はすば歯車３１がその軸端に固設されている。
【００１７】
円周方向における見当合わせは、次のように行う。すなわち、軸方向移動手段（装置）を介し、はずば歯車２９、３０を軸方向へ移動させ、そして、はずば歯車３１との歯合点を円周方向へ移動（回動）する。両はすば歯車２９・３１、３０・３１の相対的位相を変更し、版胴本体４及びシェル５を円周方向に回動させることにより行う（図示省略）。
【００１８】
版胴本体軸８ｂには、図５に示すように、半径方向の切欠部１０ｂを設けており、シェル５には、半径方向の切欠部１０ａを設けている。対向させた切欠部１０ａ、１０ｂ内に、伝達部材１１を、所定の間隔をもって挿入し、伝達部材１１の内端部をシェル調整軸９に固定している。シェル５の外面に固定部材４３を固定している。こうして、シェル調整軸９と一体的に固定される。伝達部材１１の外周面とシェル５内孔部とを、滑りキー１２或いはリニアガイド等を介して軸方向移動のみを可能に連結している。
シェル５には、シェル調整軸９から伝達部材１１、滑りキー１２を介して回転が伝達される一方で、軸方向に関する移動は自由になっており、版胴本体４との相対的位置が変更設定できる。
【００１９】
以上説明したように、本実施形態では、輪転印刷機の分割版胴の天地左右見当装置のうち、特にシェル５の軸方向（ウェブ横幅方向）移動機構が新しい構成である。すなわち、その機構を、テコ式移動装置にして、移動伝達部（ピン１７ａと長穴２０の係合部）がシェル５の軸方向に隙間なく正確に移動を伝達することができる一方、版胴軸芯が半径方向いずれかの方向へ移動しても、軸方向移動装置には支障が出ないように、隙間Δｄ及びΔｈがある。このことは、アーム揺動機構１８が版胴本体４及びシェル５の芯軸が移動しても、軸方向移動性能に影響されない。
したがって、従来のように、軸方向移動機構を偏心軸受に取付ける必要がないので、配置設計の自由度が大きくなる。このことは、シェル５の軸方向移動機構をテコ式としる関係上、揺動中心の支点軸１５からネジ軸２２までの距離と、支点軸１５からピン１７ａまでの距離との比を任意の値とすることで、調整距離を調整でき、また、使用状況に応じた精度の選択範囲を広げることができることからも明らかである。
また、版胴本体４及びシェル５の側面とフレーム２ｂのスペースに組込む部品が簡素で、組込み容易となるので、メーカ側の組立容易、ユーザ側の保守容易などの効果がある。また、シェル５を軸方向に移動させる力は、版胴軸芯に対し円周方向１８０度離れた位置にある２個のピン１７ａにより伝達されるので、シェル５に曲げモーメントＭ（図７参照）が発生せず、常に円滑に軸方向移動ができるという効果がある。
よって、この分割版胴１は、並設したブランケット胴２８に対し印圧の調整と、該印圧を版胴の軸方向全域にわたって均一に調整する機能を有するので、印刷面の濃淡、その他の品質向上を図ることができる。
また、例えばウェブの幅方向で別の絵柄を別の版で多色印刷する場合は、別々に天地（版胴円周方向）及び左右（軸方向）の見当調節が円滑にできる。
【００２０】
【発明の効果】
本発明によれば、版胴の左右にそれぞれ個別に刷版を装着し、運転中にもそれぞれ別個に天地方向及び軸方向の見当調整が可能な印刷機に設備する分割版胴の軸方向見当調整装置において、一方の版胴側に設けたアームと、該アームを揺動するアーム揺動手段と、上記アームの揺動に対して上記版胴を版胴軸方向にのみ移動伝達するアーム規制手段とを備えるので、版胴の軸方向移動を常に円滑に行うことができる。
【図面の簡単な説明】
【図１】本発明の一実施形態に係る分割版胴の軸方向見当調整装置を輪転印刷機に設備した、一部を断面図にして表した全体概略構成図である。
【図２】左右見当調整装置部の側面断面図である。
【図３】図２の正面断面図である。
【図４】（ａ）は、図３の線IVa −IVa による断面図、（ｂ）は、図３の矢印IVb の矢視図である。
【図５】図１におけるV 部の詳細図である。
【図６】輪転印刷機において分割版胴へ設備した従来の左右（軸方向）見当調整装置の構成図である。
【図７】図６における概略図である。
【符号の説明】
１  分割版胴
２ａ、２ｂ  フレーム
２Ａ  サブフレーム
２Ｂ  スペーサ
３ａ、３ｂ  刷版
４  版胴本体
５  シェル
６、２１  ベアリング
７ａ、７ｂ  偏心軸受
８ａ、８ｂ  版胴本体軸
９  シェル調整軸
１０ａ、１０ｂ  切欠部
１１  伝達部材
１２  滑りキー
１３  アンギュラベアリング
１４  ハウジング
１５  支点軸
１６  アーム
１７ａ、１７ｂ  ピン
１８  アーム揺動駆動機構
１９  ブラケット
２０、２６  長穴
２２、３３  ネジ軸
２３、３２  モータ
２４、２５  ギヤ
２７  コマ
２８  ブランケット胴
２９、３０、３１  はすば歯車
３４  調整部材
３９  シェル軸
４３  固定部材
Ｍ  曲げモーメント
【図１】
0003679929.tif 000002
【図２】
0003679929.tif 000003
【図３】
0003679929.tif 000004
【図４】
0003679929.tif 000005
【図５】
0003679929.tif 000006
【図６】
0003679929.tif 000007
【図７】
0003679929.tif 000008